(57)【要約】      （修正有）【課題】移動とセッティングが簡単で、電線ドラムを転がして入れ替えが出来る作業性の向上を図ったローラー台座を提供する。【解決手段】台座枠の中に組み込んだローラーに電線ドラムを転がして載せ預けるものである。枠には電線ドラムの外輪受け用のＬ型の架台を設け外輪が滑らずローラーのレベルに掛り上がり、ローラー台座内に載せる時は、足踏みブレーキペダルを使用しローラーの回転を止め、台座内に移すことができる。また電線引き出し側２本のローラーのレベルは、載せ替え側ローラーのローラーレベルより高い位置に設定し、ドラム回転による外輪のローラー乗超えを防止。更に４本のローラーの外枠側部分に、脱輪防止のリング状の輪留めを填め込み固定し設けドラムの脱輪を防ぐ。可動式のローラー軸受け架台本体で２段階にピッチ調整し、電線ドラムの外径サイズに合ったピッチ側にロックピン固定し使用せしめる。【選択図】図１２
2014204583.tif 000002
【特許請求の範囲】
【請求項１】
脱輪防止のリング状の輪留めを外枠側に填め込み固定したローラー本体を、枠に固定された電線ドラム載せ替え側ローラー軸架台に取り付け、更に載せ替え側ローラーよりローラーレベルを上げた可動式の引き出し側ローラー軸受け架台本体にローラーを付け枠に取り付ける。ローラー軸受け架台本体を動かす事で前後のローラー間のピッチを変へドラム外輪サイズの多様化を図れる事を特徴とする組み込まれたローラー台座。
【請求項２】
載せ替え側にある外輪受け止め用Ｌ型架台、電線ドラムをローラー台座内外に容易に移すことが出来る足踏みブレーキペダル、ローラー台座が床に踏ん張る事が出来るアンカーボルト架台。等台座枠に組み込まれている事を特徴とする請求項１記載のローラー台座。
【発明の詳細な説明】
【技術分野】
【０００１】
本発明は、電線の巻かれた電線ドラムからの電線引き出し作業を、ローラー台座に電線ドラムを乗せるだけで効率よく行え、電線ドラムの入れ替え作業には足踏みブレーキペダルを使用しローラーを固定できるので円滑に行える。尚且つ足踏みブレーキペダルを使用する事でローラーの回転過剰を調整し、ドラムからの電線の出過ぎを防ぐ事が出来る電線ドラム回転用ローラー台座に関するものである。
【背景技術】
【０００２】
電線の巻かれた電線ドラムからの電線引き出し作業には、スタンドタイプのジャッキを使用した脚の上部にローラーの付いた軸受を、対に設置し電線ドラムの軸棒通し穴にシャフトを通し二人係でシャフトを軸受に掛けていた。外すのも二人係であり、尚且つローラーの回転過剰時は自らの手でドラムを制止していた。
【先行技術文献】
【特許文献】
【０００３】
【特許文献１】特開２０００−１１８８８２号公報
【発明の概要】
【発明が解決しようとする課題】
【０００４】
重量物の電線が巻かれた電線ドラムの掛け替え作業においては、シャフトを通した電線ドラムを二人係で持ち上げ軸受に掛けていた。作業中にドラムの重心が移動しシャフトが外れる時が有る。等これらの作業の軽減化、電線ドラムの安定回転を図るものである。
【課題を解決するための手段】
【０００５】
本発明は、図１で示す様に台座枠（１）の中に組み込んだ載せ替え側ローラー２本（１７）と電線引き出し側２本（１８）の４本のローラー間に電線ドラムを転がして載せ預けるものである。載せ替え側の枠には電線ドラムの外輪受け用のＬ型（図３−６）の架台を設ける事で、載せ替え側ローラーのレベルの高さ（図８、図９）へドラムの外輪が滑らず掛り上がり、Ｌ型架台とローラーとの２点間で電線ドラムを一時預け、ローラー台座内に載せる時は、足踏みブレーキペダル（図１-８）を使用し載せ替え側ローラーの回転を止め、ローラー台座内に移すことができる。また電線引き出し側２本のローラーのレベルは、載せ替え側ローラーのローラーレベルより高い位置に設定し電線ドラムの外輪をローラーの内面側で受ける（図１０、図１１）事で、電線引き出し作業中のドラム回転によるドラム外輪のローラー乗超えを防ぐ事ができる。又４本のローラーの外枠側部分に、脱輪防止のリング状の輪留め（図７-１１）を填め込み固定し設ける事で、電線ドラムの重心移動によるドラムの外輪が左右に振られても脱輪を防ぐ事が出来る。載せ替え側ローラー２本の軸受架台はローラー台座に固定（図４-２）し、電線引き出し側２本は可動式のローラー軸受け架台本体（図４-４a）でローラー台座に取り付ける。前後のローラー間のピッチはローラー軸受け架台本体を動かし２段階に調整、電線ドラムの外径サイズ（図１０、図１１）に合ったピッチ側にロックピン（図７-１３）固定し使用せしめる。
【発明の効果】
【０００６】
スタンドタイプの電線ドラム回しは１セットの点数が多く、更に電線ドラムをセットするのに二人係で持ち上げ軸受に掛けていた。ローラー台座（図１）は全てが組み込まれている為、持ち運び移動とセッティグが楽に行え、電線ドラムは転がしてＬ型架台（６）から載せる事が出来る。脱輪防止のリング状の輪留めの付いたローラーは電線ドラムの重心移動によるドラムの外輪が左右に振られても脱輪を防ぐ事が出来、尚且つ可動式のローラー軸受け架台本体（図４-４a）で取り付けられたローラーは幅広く電線ドラムの外径サイズ（図１０、図１１）に対応し、足踏みブレーキペダル（図１-８）を活用すれば、ドラムの過剰回転のスピード調整、電線ドラム載せ替え時ローラーを固定し、ドラムの外輪がローラー上で空回りせずにローラーを乗り越えさせる事が出来る。
【図面の簡単な説明】
【０００７】
【図１】ローラー台座全体斜視図
【図２】ローラー台座分解構造斜視図１
【図３】ローラー台座分解構造斜視図２
【図４】可動式ローラー軸受け架台本体、足踏みブレーキペダル、ローラー台座分解構造斜視図
【図５】アンカーボルト用架台分解構造斜視図
【図６】足踏みブレーキペダル分解構造斜視図
【図７】ローラー分解構造斜視図及びロックピン
【図８】ドラム入れ替え時ローラー台座側面図１
【図９】ドラム入れ替え時ローラー台座側面図２
【図１０】可動式のローラー軸受け架台によるピッチ変更側面図１、及びアンカーボルト格納状態図
【図１１】可動式のローラー軸受け架台によるピッチ変更側面図２、及びアンカーボルト使用状態図
【図１２】使用状態斜視図１
【図１３】使用状態斜視図２
【図１４】使用状態上面図
【発明を実施するための形態】
【０００８】
以下、この発明に係わるローラー台座の実施の形態を図面に基づいて説明する。
【０００９】
図１は、ローラー台座の構造全体斜視図
【００１０】
図２、図３は、ローラー台座分解構造図で４ｄ及び５ｂは可動式ローラー軸受け架台本体をガイドする側壁である。各々対の中に２種類の４ｃ（図３）という可動式ローラー軸受け架台本体を受け止める固定された架台が組み込まれている。
【００１１】
図３、図４の３は、載せ替え側ローラー２本のセンター軸受架台、５a５ｂは対で可動式ローラー２本の軸受け架台のセンター軸受用架台である。２は載せ替え側ローラー軸受架台でローラー台座に固定されている。４ｂは可動式ローラー軸受け架台本体の軸受穴であり、４ｄの側壁と対で可動式ローラー軸受け架台本体をガイドする。７は足踏みブレーキペダルを組み込み、ボルトを通して支点とする架台である。
【００１２】
図１、図５の１４はアンカーボルト用の架台、１５はアンカーボルト、１６はアンカーボルト用レバー付きロックナットである。ローラー台座と床（コンクリート、地面等）の状況で、アンカーボルトを下げロックナットで固定、又は格納してロックナットで固定する。
【００１３】
図６は、足踏みブレーキペダル（８）の分解図で、９はゴム系摩擦材、１０はウエイトである。ウエイトを設ける事で作動部は自然に下がりローラーから離すことができる。
【００１４】
図７は、脱輪防止のリング状の輪留め１１をローラー１２に組み込み固定された様子である。１３は可動式ローラー架台の２段階調整後に固定するロックピンである。
【００１５】
図８、図９は、ドラムを台座に移動する過程の側面図で、電線ドラムの外輪受け用のＬ型（６）架台によりローラーの頂点レベルまで持ち上げられる様子、Ｌ型架台とローラーとの間で電線ドラムを一時預けする様子である。
【００１６】
図１０、図１１は、図９の状態から足踏みブレーキペダルを踏み込み台座中央に移動された状態図。ローラー間のピッチ変更によるローラーの位置関係、更にアンカーボルトの格納と下げた状態も示している。
【００１７】
図１２、図１３は、ドラムを掛けた全体斜視図
【００１８】
図１４は、ドラムを掛けた全体上面図
【符号の説明】
【００１９】
１    ローラー台座
２    固定ローラー軸受
３    載せ替え側ローラーセンター軸受架台
４a  可動式ローラー軸受架台本体
４b  可動式ローラー本体軸受穴
４c  可動式ローラー架台受け部
４d  可動式ローラー架台ガイド
５a  可動式ローラー軸受センター架台
５b  可動式ローラー架台センターガイド
６    Ｌ型架台
７    足踏みブレーキペダル支点用架台
８    足踏みブレーキペダル本体
９    ゴム系摩擦材
１０  ウエイト
１１  脱輪防止のリング状の輪留め
１２  ローラー
１３  ロックピン
１４  アンカー架台
１５  アンカーボルト
１６  アンカーロックナット
１７  載せ替え側ローラー
１８  可動式ローラー
【図１】
2014204583.tif 000003
【図２】
2014204583.tif 000004
【図３】
2014204583.tif 000005
【図４】
2014204583.tif 000006
【図５】
2014204583.tif 000007
【図６】
2014204583.tif 000008
【図７】
2014204583.tif 000009
【図８】
2014204583.tif 000010
【図９】
2014204583.tif 000011
【図１０】
2014204583.tif 000012
【図１１】
2014204583.tif 000013
【図１２】
2014204583.tif 000014
【図１３】
2014204583.tif 000015
【図１４】
2014204583.tif 000016